(57)【特許請求の範囲】
【請求項１】
一表面に接着層を有し、一方側の部分と、前記一方側に比べ左右方向の幅が広く形成された他方側の部分とからなる両側部分と、該両側部分の前記一方側と前記他方側との間に介在し表面に接着層を有さない中央部分とを含む易開封性改ざん防止ラベルであって、
前記両側部分は、透明基材上に透明な表示材で任意の文字等を表示した表示層と、前記透明基材及び前記表示層上に形成され該表示層と容易に離間する有色被覆層とを有し、
前記中央部分は、前記一方側との境界付近に、前記一方側の一端から他端に渡って形成される第１のミシン目と、前記他方側との境界付近に、前記第１のミシン目と平行に直線状に形成され、かつ、一端部が連続する切れ目となり湾曲して形成されている第２のミシン目とを有し、
前記第１のミシン目と前記第２のミシン目とが略同じ長さであって、前記第１および第２のミシン目を切断した状態で、前記一方側と前記中央部分とは分離し、前記他方側と前記中央部分とは分離しないことを特徴とする易開封性改ざん防止ラベル。
【請求項２】
前記第２のミシン目が、前記他方側との境界付近に、前記第１のミシン目と平行に直線状に形成され、かつ、一端部が連続する切れ目となり前記他方側へ湾曲して形成されていることを特徴とする請求項１に記載の易開封性改ざん防止ラベル。
【発明の詳細な説明】
【０００１】
【発明の属する技術分野】
本発明は、開封することが容易で、しかも、開封の有無を容易に確認できるようにして、中身の改ざんを防止する易開封性改ざん防止ラベルに関し、より詳細には、薬品等を梱包した梱包物の蓋と側壁との間に貼付し封緘するラベルに用いて好適な易開封性改ざん防止ラベルに関する。
【０００２】
【従来の技術】
梱包物に貼付し封緘する従来のラベルとして、例えば、実開平２−１４６６７９号公報に開示されるラベルを挙げることができる。これは、図４においてラベル２０として示すように、接着性を有する両側部分２１・２２と、これら両側部分２１・２２の間に接着性を有さない中央部分２３とを備えたものである。
【０００３】
上記ラベル２０は、図５に示すように、梱包物２９の蓋３０と側壁３１との間に貼付し、つまり、両側部分２１・２２をそれぞれ蓋３０と側壁３１とに貼り付け、梱包物２９を封緘するラベルとして用いるものである。
【０００４】
また、上記ラベル２０の両側部分２１・２２には、一旦蓋３０や側壁３１に貼り付けた後にこれを剥がすと「開封済」等の文字が現れるようになっており、これによって開封の有無を容易に確認できるものとなっている。
【０００５】
さらに、上記ラベル２０の中央部分２３には、互いに平行な２筋のミシン目２４・２５が、いずれも一端２６から他端２７にわたって形成されており、また他端２７の側には、摘み部２８が図中左方向に突き出るように形成されている。
【０００６】
従って、この摘み部２８を摘みもって矢符Ｂ方向に２筋のミシン目２４・２５を切断することにより、梱包物２９を容易に開封することができる。つまり、ラベル２０は、従来の粘着ラベルを用いる場合と異なり、素手で切って剥がすのに手間がかかるということもなく、カッター等の道具を必要とすることもないので、使用者にとって使い勝手のよいものとなっている。
【０００７】
【発明が解決しようとする課題】
ところが、上記のラベル２０では、両ミシン目２４・２５を切断して開封した後に、ラベル２０の一部、つまり両ミシン目２４・２５に挟まれた中央部分２３が分離することから、分離片が静電気等で指先に付着して除去しにくいという問題、さらに、指先から取り除いたあとは当該分離片がゴミになってしまうという問題が生じることになる。
【０００８】
特に、薬品等を梱包した梱包物に用いる場合には、大量の廃棄物が発生しやすい病院等での最終使用が想定されることから、操作、取扱が容易でその上極力上記のような細かいゴミの発生を抑えることが望ましいものとされている。
【０００９】
本発明は、上記の問題点に鑑みてなされたものであり、その目的は、開封が容易で且つ改ざん防止効果を有するものであり、しかも、開封後にその一部がゴミになることもない易開封性改ざん防止ラベルを提供することにある。
【００１０】
【課題を解決するための手段】
請求項１の発明に係る易開封性改ざん防止ラベルは、上記の課題を解決するために、一表面に接着層を有し、一方側の部分と、前記一方側に比べ左右方向の幅が広く形成された他方側の部分とからなる両側部分と、該両側部分の前記一方側と前記他方側との間に介在し表面に接着層を有さない中央部分とを含む易開封性改ざん防止ラベルであって、前記両側部分は、透明基材上に透明な表示材で任意の文字等を表示した表示層と、前記透明基材及び前記表示層上に形成され該表示層と容易に離間する有色被覆層とを有し、前記中央部分は、前記一方側との境界付近に、前記一方側の一端から他端に渡って形成される第１のミシン目と、前記他方側との境界付近に、前記第１のミシン目と平行に直線状に形成され、かつ、一端部が連続する切れ目となり湾曲して形成されている第２のミシン目とを有し、前記第１のミシン目と前記第２のミシン目とが略同じ長さであって、前記第１および第２のミシン目を切断した状態で、前記一方側と前記中央部分とは分離し、前記他方側と前記中央部分とは分離しないことを特徴としている。
【００１１】
上記の構成によれば、第１及び第２のミシン目を切断することで、両側部分のうちの一方側と中央部分とが分離し、開封された状態になる。これら両ミシン目の切断は、摘み部等を設けて素手により一方から同時に切断するものとすれば簡単に切断することができるので、本ラベルを梱包物の封緘に用いた場合には、使用者は該梱包物を容易に開封することができる。
【００１２】
また、上記の構成によれば、第２のミシン目の一端部が連続する切れ目で湾曲して形成されているので、該ミシン目を他端部から一端部の方向に切断する際に、切断を前記他方側の一端部にて確実にとどめることができる。つまり、いきおいで該一端部をこえて切断してしまい、これによって中央部分と両側部分の他方側とを完全に分離してしまうといった不所望の事態の発生を確実に防止できることになる。
【００１３】
また、開封された状態で、中央部分は依然として両側部分のうちの他方側と結合しているので、この中央部分が開封後に分離して指先に付着したり、その上ゴミになってしまうということがない。
【００１４】
さらに、一表面に接着層を有する両側部分は、各々、透明基材の上にシリコン材等の透明な表示材で任意の文字等を表示した表示層と、この透明基材及び表示層を覆うように形成され該表示層とは容易に離間する有色被覆層とを有している。この有色被覆層上に重ねて前記接着層を配置した場合、本ラベルを該接着層により梱包物に貼り付けた後これを剥がすと、表示層上の有色被覆層がラベルから離間し、そこだけ色が透けることになって、表示層の文字等が現れることになる。これによって、既に開封されたか否かという開封の有無が容易に確認できることになり、改ざん防止効果を得ることができる。
【００１５】
【発明の実施の形態】
本発明の実施の一形態について図１〜図３に基づいて説明すれば、以下の通りである。
【００１６】
図１は、本実施形態の易開封性改ざん防止ラベル（以下、単に「ラベル」という。）１を示す平面図である。本ラベル１は、一表面に接着層１４（図３の（ａ）参照）を有する両側部分２・３と、これら両側部分２・３の間に介在し、接着層１４を有さない中央部分４とから構成されている。また、前記両側部分２・３は、一方側２の部分と、該一方側２に比べ図中左右方向の幅が広く形成された他方側３の部分とからなっている。
【００１７】
尚、図１においては、中央部分４と両側部分２・３との境界が、それぞれ境界５・６として破線にて示されている。
【００１８】
上記ラベル１は、例えば図２に示すように、薬品等を梱包した梱包物１６の開閉部に貼付し、つまり、両側部分２・３をそれぞれ梱包物１６の蓋１７と側壁１８とに貼り付け、梱包物１６を封緘するラベルとして使用するものである。
【００１９】
上記の両側部分２・３は、図３（ａ）に示すように、接着層１４が配置された表面と反対する側の表面に、ＰＥＴ樹脂や塩化ビニル樹脂等の合成樹脂により形成された透明基材１１を有している。また、この透明基材１１上には、透明なシリコン材（表示材）によって表示層１２が形成されている。表示層１２は、図３（ｂ）に示すように、透明基材１１の側から見たときに、複数の「開封済」の文字を透明に表示するものである。尚、図３（ｂ）は、両側部分２・３の平面図であり、図３（ｃ）はそれを拡大して示す図、そして、図３（ａ）は、図３（ｃ）におけるＬ−Ｌ’線の断面図を示している。
【００２０】
両側部分２・３には、さらに、上記の透明基材１１及び表示層１２を覆うように、有色被覆層１３が形成されており、この有色被覆層１３上に前記接着層１４が配置されている。有色被覆層１３は、アルミニウム等の真空蒸着膜若しくは白色印刷等によって形成されており、また、この有色被覆層１３は、表示層１２がシリコン材で形成されていることから、該表示層１２とは容易に離間するものとなっている。
【００２１】
これに対し、中央部分４は、既述のように接着層１４を有していないものの、両側部分２・３と同様に、透明基材１１、表示層１２及び有色被覆層１３を有する構成となっている。このような構成を採用することで、製造時において、接着層１４を形成する工程を除き、両側部分２・３と中央部分４とを区別する必要がなくなり、製造上有利な効果を奏するものとなっている。
【００２２】
また、中央部分４は、図１に示すように、一方側２との境界５付近に形成される第１のミシン目７と、他方側３との境界６付近に形成される第２のミシン目８とを有している。第１のミシン目７は、ラベル１の一端１ａから他端１ｂにわたり、境界５に沿って形成されている。これに対し、第２のミシン目８は、第１のミシン目７と平行に直線状に形成され、且つ、一端部８ａが連続する切れ目となり湾曲して形成されている。
【００２３】
従って、第１のミシン目７が切断された状態では、一方側２と中央部分４とは分離するのに対し、第２のミシン目８が切断されても、依然として一端１ａの側において、他方側３と中央部分４とは結合しているので、他方側３と中央部分４とは分離しないことになる。
【００２４】
また、中央部分４は、他端１ｂの側に、図中左方向に突き出るように形成された摘み部９を有している。
【００２５】
従って、図２に示すように、この摘み部９を摘みもって、矢符Ａ方向に第１及び第２のミシン目７・８を同時に切断することにより、第１のミシン目７が切断される結果、梱包物１６は開封された状態となる。つまり、ラベル１は、素手により梱包物１６を容易に開封することができ、使用者にとって使い勝手のよいものとなっている。
【００２６】
一方、第２のミシン目８が切断されても、依然として他方側３と中央部分４とは一端１ａの側において結合しているので、中央部分４が開封後に分離して指先に付着したり、分離片がゴミになってしまうということがない。
【００２７】
また、第２のミシン目８の一端部８ａが連続する切れ目で湾曲して形成されているので、第２のミシン目８を、第１のミシン目７と共に他端１ｂ側から一端１ａ側の方向に切断する際に、切断を一端部８ａにて確実にとどめることができる。つまり、いきおいで一端部８ａをこえて切断してしまい、中央部分４と他方側３とを完全に分離してしまうといった不所望の事態の発生を確実に防止できることになる。
【００２８】
さらに、両側部分２・３の接着層１４を介して一旦蓋１７や側壁１８に貼り付けた後これを剥がすと、図３（ａ）に示すように、表示層１２上の有色被覆層１３が離間し、そこだけ色が透けることになって、表示層１２の「開封済」の文字が現れることになる。これによって、既に開封されたか否かという開封の有無が容易に確認できることになり、改ざん防止効果を得ることができる。
【００２９】
【発明の効果】
請求項１の発明に係る易開封性改ざん防止ラベルは、以上のように、一表面に接着層を有し、一方側の部分と、前記一方側に比べ左右方向の幅が広く形成された他方側の部分とからなる両側部分と、該両側部分の前記一方側と前記他方側との間に介在し表面に接着層を有さない中央部分とを含む易開封性改ざん防止ラベルであって、前記両側部分は、透明基材上に透明な表示材で任意の文字等を表示した表示層と、前記透明基材及び前記表示層上に形成され該表示層と容易に離間する有色被覆層とを有し、前記中央部分は、前記一方側との境界付近に、前記一方側の一端から他端に渡って形成される第１のミシン目と、前記他方側との境界付近に、前記第１のミシン目と平行に直線状に形成され、かつ、一端部が連続する切れ目となり湾曲して形成されている第２のミシン目とを有し、前記第１のミシン目と前記第２のミシン目とが略同じ長さであって、前記第１および第２のミシン目を切断した状態で、前記一方側と前記中央部分とは分離し、前記他方側と前記中央部分とは分離しない構成である。
【００３０】
それゆえ、開封が容易で且つ改ざん防止効果を有し、しかも、開封後にその一部が分離して指先に付着したり、その上ゴミになることもない易開封性改ざん防止ラベルを提供することができるという効果を奏する。
【００３１】
また、第２のミシン目を他端部から一端部の方向に切断する際に、切断を一端部にて確実にとどめ、これにより、中央部分と両側部分の他方側とを分離してしまうといった不所望の事態の発生を確実に防止することができるという効果を併せて奏する。
【図面の簡単な説明】
【図１】  本発明の実施の一形態に係る易開封性改ざん防止ラベルを示す平面図である。
【図２】  上記易開封性改ざん防止ラベルを、梱包物（カートン）の開閉部に使用した場合について示す斜視図である。
【図３】  上記易開封性改ざん防止ラベルの改ざん防止効果について説明する図であり、（ａ）は、Ｌ−Ｌ’線の断面図であって梱包物に貼付したものを剥がしつつある状態を示す図、（ｂ）は、両側部分の平面図、（ｃ）は、両側部分の拡大平面図である。
【図４】  従来の改ざん防止ラベルを示す平面図である。
【図５】  従来の改ざん防止ラベルを、梱包物（カートン）の開閉部に使用した場合について示す斜視図である。
【符号の説明】
１  易開封性改ざん防止ラベル
２・３  両側部分
４  中央部分
７・８  ミシン目
９  摘み部
１２  表示層
１３  有色被覆層
１４  接着層
【図１】
0003767713.tif 000002
【図２】
0003767713.tif 000003
【図３】
0003767713.tif 000004
【図４】
0003767713.tif 000005
【図５】
0003767713.tif 000006